【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
入射光に基づくアナログ信号を各々が生成する複数の画素が２次元状に配列された画素アレイと、前記画素アレイから出力されるアナログ信号をＡＤ変換してデジタル信号を生成するＡＤ変換部と、複数のメモリと、出力線とを有する固体撮像装置の駆動方法であって、
前記複数のメモリが前記出力線に順次にデジタル信号を出力する１つの水平転送期間が、
前記複数のメモリの一部のメモリから、前記ＡＤ変換部によってＡＤ変換されたデジタル信号ではない所定値を有するデジタル信号が前記出力線に出力される第１期間と、
前記複数のメモリの他の一部のメモリから、前記ＡＤ変換部によってＡＤ変換されたデジタル信号が前記出力線に出力される第２期間と、を含み、
前記第１期間では、前記一部のメモリのうち少なくとも２つのメモリから、前記所定値を有するデジタル信号が、前記所定値を有するデジタル信号とは別のデジタル信号を間に挟まずに連続して前記出力線に出力される、
ことを特徴とする固体撮像装置の駆動方法。
【請求項２】
入射光に基づくアナログ信号を各々が生成する複数の画素が２次元状に配列された画素アレイと、前記画素アレイから出力されるアナログ信号をＡＤ変換してデジタル信号を生成するＡＤ変換部と、複数のメモリと、出力線とを有する固体撮像装置の駆動方法であって、
前記複数のメモリの一部のメモリが所定値を有するデジタル信号を保持し、
前記複数のメモリの他の一部のメモリが、前記ＡＤ変換部によるＡＤ変換によって生成されたデジタル信号を保持し、
前記他の一部のメモリの各々から前記出力線へのデジタル信号の出力を開始した後、次に前記他の一部のメモリの各々から前記出力線へのデジタル信号の出力を開始する前までの期間に、
前記一部のメモリのうち少なくとも２つのメモリから、前記所定値を有するデジタル信号を、前記所定値を有するデジタル信号とは別のデジタル信号を間に挟まずに連続して前記出力線に出力することを特徴とする固体撮像装置の駆動方法。
【請求項３】
前記ＡＤ変換部は、時間経過にともなって変化する参照信号の値と前記画素アレイから出力される複数のアナログ信号の値とをそれぞれ比較する複数の比較器と、前記時間経過に応じたカウント値を生成するカウンタと、を含む、
ことを特徴とする請求項１又は２に記載の固体撮像装置の駆動方法。
【請求項４】
前記一部のメモリは、前記複数の比較器のうちパワーセーブモードに設定された比較器に対応するメモリである、
ことを特徴とする請求項３に記載の固体撮像装置の駆動方法。
【請求項５】
前記固体撮像装置は、前記複数の比較器の一部からの出力または前記複数の比較器の一部への信号の入力を遮断する遮断部を更に有し、
前記一部のメモリは、前記遮断部による遮断がなされた比較器に対応するメモリである、
ことを特徴とする請求項３に記載の固体撮像装置の駆動方法。
【請求項６】
前記ＡＤ変換部は、複数のＡＤ変換器を含み、
前記一部のメモリは、前記複数のＡＤ変換器のうちパワーセーブモードに設定されたＡＤ変換器に対応するメモリである、
ことを特徴とする請求項１又は２に記載の固体撮像装置の駆動方法。
【請求項７】
前記ＡＤ変換部は、複数のＡＤ変換器を含み、前記固体撮像装置は、前記複数のＡＤ変換器の一部への信号の入力または前記複数のＡＤ変換器の一部からの出力を遮断する遮断部を更に有し、
前記一部のメモリは、前記遮断部による遮断がなされたＡＤ変換器に対応するメモリである、
ことを特徴とする請求項１又は２に記載の固体撮像装置の駆動方法。
【請求項８】
前記ＡＤ変換部がＡＤ変換を行う前に前記複数のメモリの全てのメモリに対して前記所定値を有するデジタル信号が書き込まれ、
前記ＡＤ変換部は、前記画素アレイから出力される複数のアナログ信号の一部をＡＤ変換し、これによって生成されたデジタル信号が前記複数のメモリの前記他の一部のメモリに対して書き込まれる、
ことを特徴とする請求項１又は２に記載の固体撮像装置の駆動方法。
【請求項９】
前記ＡＤ変換部によって生成された複数のデジタル信号が前記複数のメモリの前記他の一部のメモリに対して書き込まれた後に、前記複数のメモリの前記一部のメモリに対して前記所定値を有するデジタル信号が書き込まれる、
ことを特徴とする請求項１又は２に記載の固体撮像装置の駆動方法。
【請求項１０】
前記ＡＤ変換部がＡＤ変換を行う前に前記複数のメモリの全てのメモリに対して前記所定値を有するデジタル信号が書き込まれる、
ことを特徴とする請求項９に記載の固体撮像装置の駆動方法。
【請求項１１】
前記複数のメモリに保持された複数のデジタル信号が前記出力線を含む複数の出力線に分配して出力される、
ことを特徴とする請求項１乃至１０のいずれか１項に記載の固体撮像装置の駆動方法。
【請求項１２】
入射光に基づくアナログ信号を各々が生成する複数の画素が２次元状に配列された画素アレイと、
前記画素アレイから出力されるアナログ信号をＡＤ変換してデジタル信号を生成するＡＤ変換部と、
複数のメモリと、
出力線と、
前記複数のメモリにデジタル信号を書き込む書き込み部と、を備え、
前記書き込み部は、前記複数のメモリが前記出力線に順次にデジタル信号を出力する１つの水平転送期間が、前記複数のメモリの一部のメモリから、前記ＡＤ変換部によってＡＤ変換されたデジタル信号ではない所定値を有するデジタル信号が前記出力線に出力される第１期間と、前記複数のメモリの他の一部のメモリから、前記ＡＤ変換部によってＡＤ変換されたデジタル信号が前記出力線に出力される第２期間と、を含むように前記複数のメモリに対する書き込みを行い、
前記第１期間では、前記一部のメモリのうち少なくとも２つのメモリから、前記所定値を有するデジタル信号が、前記所定値を有するデジタル信号とは別のデジタル信号を間に挟まずに連続して前記出力線に出力される、
ことを特徴とする固体撮像装置。
【請求項１３】
入射光に基づくアナログ信号を各々が生成する複数の画素が２次元状に配列された画素アレイと、
前記画素アレイから出力されるアナログ信号をＡＤ変換してデジタル信号を生成するＡＤ変換部と、
複数のメモリと、
出力線と、
前記複数のメモリにデジタル信号を書き込む書き込み部と、を備え、
前記書き込み部は、前記複数のメモリの一部のメモリには所定値を有するデジタル信号を書き込み、前記複数のメモリの他の一部のメモリには前記ＡＤ変換部によるＡＤ変換によって生成されたデジタル信号を書き込み、
前記書き込み部は、前記他の一部のメモリの各々から前記出力線へのデジタル信号の出力を開始した後、次に前記他の一部のメモリの各々から前記出力線へのデジタル信号の出力を開始する前までの期間に、前記一部のメモリのうち少なくとも２つのメモリから、前記所定値を有するデジタル信号が、前記所定値を有するデジタル信号とは別のデジタル信号を間に挟まずに連続して前記出力線に出力されるように、前記複数のメモリに対する書き込みを行う、
ことを特徴とする固体撮像装置。
【請求項１４】
請求項１２又は１３に記載の固体撮像装置と、
前記固体撮像装置から出力される信号を処理する処理部と、
を備えることを特徴とするカメラ。
【手続補正２】
【補正対象書類名】明細書
【補正対象項目名】０００６
【補正方法】変更
【補正の内容】
【０００６】
本発明の１つの側面は、固体撮像装置の駆動方法に係り、該固体撮像装置は、入射光に基づくアナログ信号を各々が生成する複数の画素が２次元状に配列された画素アレイと、前記画素アレイから出力されるアナログ信号をＡＤ変換してデジタル信号を生成するＡＤ変換部と、複数のメモリと、出力線とを有し、該駆動方法では、前記複数のメモリが前記出力線に順次にデジタル信号を出力する１つの水平転送期間が、前記複数のメモリの一部のメモリから、前記ＡＤ変換部によってＡＤ変換されたデジタル信号ではない所定値を有するデジタル信号が前記出力線に出力される第１期間と、前記複数のメモリの他の一部のメモリから、前記ＡＤ変換部によってＡＤ変換されたデジタル信号が前記出力線に出力される第２期間と、を含み、前記第１期間では、前記一部のメモリのうち少なくとも２つのメモリから、前記所定値を有するデジタル信号が、前記所定値を有するデジタル信号とは別のデジタル信号を間に挟まずに連続して前記出力線に出力される。